(57)【要約】【課題】新たな型式の光ディスクが投入されると、この光ディスクのＯＰＣデータを速やかに取得できる光ディスク記録装置、上記の光ディスクのＯＰＣデータを速やかにユーザへ提供することができるＯＰＣデータ管理装置を提供する。【解決手段】ＤＶＤレコーダ１は、ＯＰＣデータを記憶部１２に記憶していないＤＶＤ−Ｒにデータを記録する場合、このＤＶＤ−ＲのＯＰＣデータを取得するために、このＤＶＤ−ＲのＯＰＣデータの送信要求をサーバ２に対して行う。サーバ２は、このＤＶＤ−ＲのＯＰＣデータを保持している場合、ＤＶＤレコーダ１へこのＯＰＣデータのみをＤＶＤレコーダ１へ配信する。一方、サーバ２は、ＤＶＤレコーダ１から送信要求のあったＤＶＤ−ＲのＯＰＣデータを保持していない場合、このＤＶＤ−Ｒの情報を記憶するとともに、サーバ２のオペレータへＤＶＤ−ＲのＯＰＣデータを保持していないことを通知する。【選択図】図１
2004318972.tif 000002
【特許請求の範囲】
【請求項１】
光ディスクの種類毎に基準記録パワーを記憶する記憶手段と、
光ディスクにデータを記録する時に、この光ディスクの種類を判別し、ここで判別した光ディスクの基準記録パワーを前記記憶手段から読み出し、この基準記録パワーに基づいて光ディスクに試し書きを行って最適記録パワーを決定し、この最適記録パワーでデータを記録する記録手段と、を備えた光ディスク記録装置において、
前記基準記録パワーのデータを光ディスクの種類毎に管理するデータ管理装置に対してインターネットを介してアクセスし、光ディスクの基準記録パワーのデータを取得する通信手段と、
前記データ管理装置が前記光ディスクの基準記録パワーのデータを管理していなかった場合には、前記光ディスクに対して試し書きするか否かを問い合わせるメッセージを出力するメッセージ出力手段と、を備え、
光ディスクに試し書きを行う際に、この光ディスクの基準記録パワーのデータを前記記憶手段が記憶していない場合には、前記通信手段を利用してこの光ディスクの基準記録パワーのデータを、前記データ管理装置から取得し、
前記記録手段は、前記データ管理装置が前記光ディスクの基準記録パワーのデータを管理していなかった場合には、前記記憶手段から読み出した標準記録パワーのデータに基づいて試し書きを行って最適記録パワーを決定することを特徴とする光ディスク記録装置。
【請求項２】
光ディスクの種類毎に基準記録パワーを記憶する記憶手段と、
光ディスクにデータを記録する時に、この光ディスクの種類を判別し、ここで判別した光ディスクの基準記録パワーを前記記憶手段から読み出し、この基準記録パワーに基づいて光ディスクに試し書きを行って最適記録パワーを決定し、この最適記録パワーでデータを記録する記録手段と、を備えた光ディスク記録装置において、
前記基準記録パワーのデータを光ディスクの種類毎に管理するデータ管理装置に対してインターネットを介してアクセスし、光ディスクの基準記録パワーのデータを取得する通信手段を備え、
光ディスクに試し書きを行う際に、この光ディスクの基準記録パワーのデータを前記記憶手段が記憶していない場合には、前記通信手段を利用してこの光ディスクの基準記録パワーのデータを、前記データ管理装置から取得することを特徴とする光ディスク記録装置。
【請求項３】
前記記録手段は、前記データ管理装置が前記光ディスクの基準記録パワーのデータを管理していなかった場合には、前記記憶手段から読み出した標準記録パワーのデータに基づいて試し書きを行って最適記録パワーを決定する請求項２に記載の光ディスク記録装置。
【請求項４】
前記データ管理装置が前記光ディスクの基準記録パワーのデータを管理していなかった場合には、前記光ディスクに対して試し書きするか否かを問い合わせるメッセージを出力するメッセージ出力手段を備えた請求項２または３に記載の光ディスク記録装置。
【請求項５】
インターネットに接続されたデータ管理装置において、
光ディスクの種類毎に基準記録パワーのデータを記憶する記憶手段と、
光ディスク記録装置から送信された配信要求に応じて前記基準記録パワーのデータを配信する通信手段と、を備え、
前記記憶手段は、光ディスク記録装置から配信要求された光ディスクの基準記録パワーデータを記憶していない場合には、その旨を記憶することを特徴とするデータ管理装置。
【発明の詳細な説明】
【０００１】
【発明の属する技術分野】
本発明は、光ディスク記録装置のＯＰＣデータの追加に関する。
【０００２】
【従来の技術】
光ディスク記録装置は、光ディスクに最適な状態でデータを記録するために、光ディスクにデータを記録する際にＯＰＣ（Ｏｐｔｉｍｕｍ  Ｐｏｗｅｒ  Ｃｏｎｔｒｏｌ）と呼ばれる試し書きを行って、光ディスクに照射するレーザ光の最適記録パワーを決定する。光ディスク記録装置は、ＯＰＣを行うためのデータとして初期値（デフォルト値）をメモリに記憶しており、この初期値に基づいてＯＰＣを行っていた。
【０００３】
しかしながら、光ディスクは、種類、メーカ、型式によって記録特性が異なるため、光ディスク記録装置はこの初期値に基づいてＯＰＣを行ってもレーザパワーの最適値を１回で得ることができず、ＯＰＣを複数回行うことがあった。このように、光ディスク記録装置は、光ディスクによってはレーザパワーの最適値と初期値とがかけ離れているため、効率的にＯＰＣを行うことができず、データの記録開始までに長時間が掛かってしまうという問題があった。
【０００４】
そこで、光ディスク記録装置は、光ディスクの種類、メーカ、型式毎のＯＰＣ用データを予め内蔵メモリで記憶しておき、ＯＰＣを行う際には光ディスクに記録されたメーカや型式の識別情報を読み取って、該当する光ディスクのＯＰＣ用データをメモリから読み出し、このＯＰＣデータを初期値に設定してＯＰＣを行う光記録再生装置及び方法が提案されている（例えば、特許文献１参照。）。
【０００５】
【特許文献１】
特開２０００−３３９６８６号公報（第４−７頁、第１−１０図）
【０００６】
【発明が解決しようとする課題】
光ディスク記録装置のユーザは、光ディスクへのデータ記録時間の短縮化（データ記録の高速化）を望んでおり、光ディスク記録装置のメーカは、データ記録の高速化技術を開発して新たな機種を適時市場に投入していた。また、光ディスクのメーカは、光ディスク記録装置のデータ記録が高速化される毎に、この光ディスク記録装置の最高記録速度に対応する新たな型式の光ディスクを市場に投入していた。
【０００７】
このように、新たな型式の光ディスクが市場に投入されるので、光ディスク記録装置のメーカは、既存の光ディスク記録装置でも新たな型式の光ディスクを使用できるように、新たな型式の光ディスク用のＯＰＣデータをファームウェアのバージョンアップという形式で提供していた。光ディスク記録装置のユーザは、通常、これらのデータをファームウェアのアップデート（更新）を行うことで入手することができる。なお、ファームウェアは、周知のように、光ディスク記録装置の制御プログラムであり、光ディスク記録装置のユーザはファームウェアを更新することで、上記の新たな型式の光ディスクのＯＰＣデータを追加できるだけでなく、光ディスク記録装置の制御プログラムを更新できる。また、光ディスク記録装置のユーザは、特許文献１に記載されているように、インターネットなどのネットワークを介してダウンロードサイトからファームウェア（プログラム）のバージョンアップ版を取得することで、ファームウェアを更新することができる。
【０００８】
しかし、光ディスク記録装置のメーカは、新たな光ディスクが投入される度にファームウェアを更新すると、ファームウェアの版数が膨大な数となり、ユーザもファームウェアの更新の手間が非常に煩雑となる。また、光ディスク記録装置のメーカにおけるファームウェアの管理も煩雑となる。したがって、光ディスク記録装置のメーカは、新たな光ディスクが投入される度にファームウェアを更新するのではなく、新たな型式の光ディスクのＯＰＣデータや光ディスク記録装置の不具合を解消するプログラムなどがある程度蓄積されると、ファームウェアの更新を行っていた。
【０００９】
そのため、光ディスク記録装置のユーザは、新たな型式の光ディスクにデータを記録する際に、この光ディスクに対応したＯＰＣデータを入手できない場合があるという問題があった。
【００１０】
また、光ディスク記録装置は、ＯＰＣデータを入手できない光ディスクにデータを記録する場合、ＯＰＣの初期値（デフォルト値）を使用する。そのため、光ディスク記録装置のユーザは、光ディスクの記録特性によっては光ディスク記録装置がＯＰＣを複数回行うため、データの記録が完了するまで長時間待たなければならない場合があるという問題があった。
【００１１】
さらに、ファームウェアの更新は煩雑な作業が必要であり、更新を失敗すると、場合によっては光ディスク記録装置を使用できなくなることがある。そのため、光ディスク記録装置のユーザは、新たな型式の光ディスクに短時間でデータを記録できるようにするためにファームウェアの更新を行ったのにもかかわらず、ファームウェアの更新に失敗して、光ディスク記録装置を使用できなくなることがあった。
【００１２】
そこで、本発明は、上記の問題を解決するために、新たな型式の光ディスクが投入されると、この光ディスクのＯＰＣデータを速やかに取得できる光ディスク記録装置、上記の光ディスクのＯＰＣデータを速やかにユーザへ提供することができるＯＰＣデータ管理装置を提供することを目的とする。
【００１３】
【課題を解決するための手段】
この発明は、上記の課題を解決するための手段として、以下の構成を備えている。
【００１４】
（１）光ディスクの種類毎に基準記録パワーを記憶する記憶手段と、
光ディスクにデータを記録する時に、この光ディスクの種類を判別し、ここで判別した光ディスクの基準記録パワーを前記記憶手段から読み出し、この基準記録パワーに基づいて光ディスクに試し書きを行って最適記録パワーを決定し、この最適記録パワーでデータを記録する記録手段と、を備えた光ディスク記録装置において、
前記基準記録パワーのデータを光ディスクの種類毎に管理するデータ管理装置に対してインターネットを介してアクセスし、光ディスクの基準記録パワーのデータを取得する通信手段を備え、
光ディスクに試し書きを行う際に、この光ディスクの基準記録パワーのデータを前記記憶手段が記憶していない場合には、前記通信手段を利用してこの光ディスクの基準記録パワーのデータを、前記データ管理装置から取得することを特徴とする。
【００１５】
光ディスク記録装置は、光ディスクの基準記録パワーに基づいて試し書きを行って最適記録パワーを決定するが、この装置よりも後に発売された光ディスクについては、基準記録パワーのデータを記憶していない。そのため、光ディスク記録装置は、光ディスクの基準記録パワーに基づいて試し書きを行うことができない。この構成においては、光ディスク記録装置は、上記のような場合に光ディスクの基準記録パワーを、インターネットに接続されたデータ管理装置から取得するので、すぐに試し書きを開始して、短時間で試し書きを終了することができる。また、光ディスク記録装置は、光ディスクの基準記録パワーのデータを記憶手段に追加記憶させるだけなので、従来のファームウェアのバージョンアップのように、ユーザが煩雑な作業を行うことなく、容易に基準記録パワーのデータを追加することができる。
【００１６】
（２）前記記録手段は、前記データ管理装置が前記光ディスクの基準記録パワーのデータを管理していなかった場合には、前記記憶手段から読み出した標準記録パワーのデータに基づいて試し書きを行って最適記録パワーを決定することを特徴とする。
【００１７】
データ管理装置に光ディスクの基準記録パワーのデータが用意されていない場合には、光ディスク記録装置は、標準記録パワーのデータに基づいて試し書きを行うので、この光ディスクにも最適記録パワーでデータを記録することができる。
【００１８】
（３）前記データ管理装置が前記光ディスクの基準記録パワーのデータを管理していなかった場合には、前記光ディスクに対して試し書きするか否かを問い合わせるメッセージを出力するメッセージ出力手段を備えたことを特徴とする。
【００１９】
光ディスク記録装置は、光ディスクの基準記録パワーをデータ管理装置から取得できない場合、標準記録パワーに基づいて試し書きを行うので、複数回試し書きを行い光ディスクの試し書き領域が大幅に消費することがある。この構成においては、光ディスク記録装置は、ユーザにこの光ディスクを使用するか否かを問い合わせるメッセージを音声や、文字や画像などの表示で出力するので、ユーザは、例えば別の光ディスクにデータを記録しておき、交換前の光ディスクの基準記録パワーが用意されてから、この光ディスクにデータを記録することができる。
【００２０】
（４）インターネットに接続されたデータ管理装置において、
光ディスクの種類毎に基準記録パワーのデータを記憶する記憶手段と、
光ディスク記録装置から送信された配信要求に応じて前記基準記録パワーのデータを配信する通信手段と、を備え、
前記記憶手段は、光ディスク記録装置から配信要求された光ディスクの基準記録パワーデータを記憶していない場合には、その旨を記憶することを特徴とする。
【００２１】
この構成においては、光ディスクの基準記録パワーデータを光ディスク記録装置に配信できなかった場合には、配信できなかったことを記憶するので、データ管理装置のオペレータは、配信できなかった光ディスクの基準記録パワーを確認して、新たに作成した光ディスクの基準記録パワーを記憶手段に記憶させることができる。この場合、この光ディスクの基準記録パワーの配信要求があると、新たに作成した光ディスクの基準記録パワーのデータを記憶手段から読み出して、すぐに配信することができる。
【００２２】
【発明の実施の形態】
以下、本発明の実施形態に係る光ディスク記録装置及びＯＰＣデータ管理装置について、図を参照しながら説明する。以下の説明では、光ディスクの一例としてＤＶＤ−Ｒを使用する場合について説明するが、本発明はＤＶＤに限るものではなく、例えば、ＣＤ（コンパクトディスク）やＢＤ（ブルーレイディスク）など他の種類の光ディスクを使用する場合にも、もちろん適用できる。
【００２３】
図１は、本実施の実施形態に係る光ディスク記録装置及びＯＰＣデータ管理装置の概略構成を示したブロック図である。光ディスク記録装置であるＤＶＤレコーダ１及びデータ管理装置であるサーバ２は、インターネット３を介して接続されている。また、ＤＶＤレコーダ１のユーザは、携帯電話４を所有しており、インターネット３を介して送られてくるメールを受信して内容を表示することができる。
【００２４】
ＤＶＤレコーダ１は、記録再生部１１、記憶部１２、表示部１３、操作部１４、音声出力部１５、通信部１６、及び制御部１７を備えている。記録再生部１１は、図示を省略するがレーザ素子を備えた光ピックアップ、アクチュエータ、サーボ回路などを備えており、ＤＶＤ−Ｒ１０にデータを記録したり、記録されたデータを読み取ったりする。記憶部１２は、ファームウェアやＤＶＤ−Ｒなど複数種類の光ディスクのＯＰＣデータを記憶している。また、記憶部１２は、ＤＶＤ−Ｒ１０に記録するデータを記憶する。表示部１３は、ユーザに伝達する事項などを文字や画像で表示する。操作部１４は、ＤＶＤ−Ｒの記録動作などの操作を行う。音声出力部１５は、ユーザに伝達する事項などを音声で出力する。通信部１６は、インターネット３を介してサーバ２と通信を行う。制御部１７は、ＤＶＤレコーダ１の各部を制御する。
【００２５】
サーバ２は、通信部２１、記憶部２２、表示部２３、操作部２４、入力部２５及び制御部２６を備えている。通信部２１は、インターネット３を介してきたディスク記録装置１と通信を行う。記憶部２２は、ＤＶＤレコーダ１に提供するＤＶＤ−ＲのＯＰＣデータやファームウェアなどを記憶している。表示部２３は、サーバ２のオペレータに伝達する事項を表示する。操作部２４は、サーバ２のオペレータが各種の操作を行うためのものである。入力部２５は、サーバ２のオペレータがＯＰＣデータやファームウェアなどを入力するためのものである。制御部２６は、サーバ２の各部を制御する。
【００２６】
次に、ＤＶＤレコーダ１及びサーバ２の動作について説明する。ＤＶＤレコーダ１は、ＤＶＤ−Ｒにデータを記録する際には、記憶部１２からＯＰＣデータを読み出して、このＯＰＣデータを初期値に設定してＯＰＣを行って、最適記録パワーを決定し、この最適記録パワーを用いてデータを記録する。ＤＶＤレコーダ１は、新しい型式のＤＶＤ−Ｒや外国製のＤＶＤ−ＲなどＯＰＣデータを記憶部１２に記憶していないＤＶＤ−Ｒにデータを記録する場合、このＤＶＤ−ＲのＯＰＣデータを取得するために、このＤＶＤ−ＲのＯＰＣデータの送信要求をサーバ２に対して行う。
【００２７】
サーバ２は、このＤＶＤ−ＲのＯＰＣデータを保持している場合、ＤＶＤレコーダ１へこのＯＰＣデータを配信する。この時、サーバ２は、従来のように不具合などの修正プログラムとともにＯＰＣデータを配信するのではなく、ＯＰＣデータのみをＤＶＤレコーダ１へ配信する。したがって、ＤＶＤレコーダのメーカは、新たな型式のＤＶＤ−Ｒが投入される毎に、このＤＶＤ−ＲのＯＰＣデータを作成して速やかにこのＯＰＣデータをユーザに提供することができる。なお、サーバ２から光ディスク記録装置１へ配信するＯＰＣデータは、この光ディスク記録装置１がデータを記録しようとしている光ディスクのＯＰＣデータのみでも、サーバ２に新たに追加されたが光ディスク記録装置１が記憶していないすべてのＯＰＣデータであっても良い。
【００２８】
ＤＶＤレコーダ１の制御部１７は、新たな型式のＤＶＤ−ＲのＯＰＣデータをサーバ２から取得すると、自動的に記憶部１２にこのデータを格納する。したがって、ＤＶＤレコーダのユーザは、従来のようにファームウェアの更新作業を行うことなく、新たな型式のＤＶＤ−Ｒに速やかにデータを記録することができる。また、ＤＶＤレコーダのユーザは、ファームウェアの更新に失敗してＤＶＤレコーダが使用できなくなるといった問題も発生しなくなる。
【００２９】
一方、サーバ２は、ＤＶＤレコーダ１から送信要求のあったＤＶＤ−ＲのＯＰＣデータを保持していない場合、このＤＶＤ−Ｒの情報を記憶するとともに、サーバ２のオペレータへＤＶＤ−ＲのＯＰＣデータを保持していないことを通知する。サーバ２のオペレータや技術者は、この通知を確認すると、直ちにこのＤＶＤ−Ｒを取得してＯＰＣデータを作成することができるので、新たな型式のＤＶＤ−Ｒが投入されてから短期間でＯＰＣデータを作成して、ユーザに提供することができる。
【００３０】
ＤＶＤレコーダ１の制御部１７は、送信要求したＤＶＤ−ＲのＯＰＣデータがサーバ２に無い場合は、表示部１３にその旨を表示するとともに、ユーザにこのＤＶＤ−Ｒにデータを記録するか、または、別の型式のＤＶＤ−Ｒに交換してデータを記録するかの問い合わせる内容（メッセージ）を表示部１３に表示する。なお、表示部１３に表示させる代わりに、音声出力部１５から表示部１３に表示させたメッセージの内容と同様の内容を音声で出力させるようにしても良い。また、表示部１３にメッセージを表示させるとともに、音声出力部１５から音声を出力させるようにしても良い。
【００３１】
ＤＶＤレコーダ１の制御部１７は、ＯＰＣデータを保持していないＤＶＤ−Ｒにデータを記録する場合、メモリに格納しているＤＶＤ−ＲのＯＰＣデータの初期値（デフォルト値）を使用して、ＯＰＣを行ってレーザ光の最適記録パワーを決定して、データを記録する。一方、ＤＶＤレコーダ１の制御部１７は、ＤＶＤ−Ｒが別の型式のものに交換された場合、このＤＶＤ−Ｒの識別コードを確認して、上記の各処理を行う。なお、ＤＶＤ−Ｒの識別コードは、この光ディスクの種類（メーカや型式）を特定することができる。
【００３２】
また、ＤＶＤレコーダ１は、送信要求を行ったＤＶＤ−ＲのＯＰＣデータが無かった場合、このＤＶＤ−Ｒの識別コードを記憶しておき、ＤＶＤ−Ｒにデータを記録する次の機会にサーバ２に対して問い合わせを行うように設定することができる。また、ユーザは、ＤＶＤレコーダ１がサーバ２へ識別コードが追加されているか否かを問い合わせる間隔を設定することができる。例えば、ユーザがこの問い合わせ間隔を２日に設定した場合、ＤＶＤレコーダ１の制御部１７は、ＤＶＤ−Ｒにデータを記録する際に、記録送信要求を行ったＤＶＤ−ＲのＯＰＣデータが無かった時から２日以上過ぎていると、サーバ２へ再度ＤＶＤ−ＲのＯＰＣの送信要求を行う。
【００３３】
また、サーバ２の制御部２６は、今まで記憶していなかったＤＶＤ−ＲのＯＰＣデータを記憶部２２に追加されると、送信要求を行ったＤＶＤレコーダ１に対して、送信要求のあったＤＶＤ−ＲのＯＰＣデータを追加したことを、ＤＶＤレコーダ１に通知することができる。ＤＶＤレコーダ１が送信要求を行った時に配信できなかったＯＰＣデータの自動配信が設定されている場合には、サーバ２はこのＯＰＣデータを追加した際に、ＤＶＤレコーダ１がインターネット３に接続されていることを確認して、接続されている場合にはこのＯＰＣデータをＤＶＤレコーダ１へ配信する。
【００３４】
また、ＤＶＤ−ＲのＯＰＣデータが追加されたことを知らせる通知は、ＤＶＤレコーダ１に対して行うのではなく、ＤＶＤレコーダ１のユーザに対してメールで通知するように設定することもできる。ＤＶＤレコーダ１のユーザは、ＤＶＤレコーダ１の型式、シリアル番号、メールアドレスなどをサーバ２に対して予め登録しておくか、またはこれらの情報をＤＶＤ−ＲのＯＰＣの送信要求時にＤＶＤレコーダ１がサーバ２へ通知するように設定しておく。これにより、サーバ２の制御部２６は、送信要求時にＯＰＣデータが無い場合には、送信要求を行ったＤＶＤレコーダ１のユーザに対して、ＯＰＣデータの追加時には追加したことを通知するように登録しておく。これにより、ＤＶＤレコーダ１のユーザは、送信要求したＤＶＤ−ＲのＯＰＣデータが追加されると、例えば携帯電話４のメールアドレスにサーバ２からメールで通知があるので、必要に応じてＤＶＤレコーダ１でこのＤＶＤレコーダのＯＰＣデータの送信要求を行ってこのＯＰＣデータを取得することができる。
【００３５】
また、ＤＶＤレコーダ１が送信要求を行った時に配信できなかったＯＰＣデータの追加通知が設定されている場合には、サーバ２はこのＯＰＣデータを追加した際に、ＤＶＤレコーダ１がインターネット３に接続されていることを確認して、接続されている場合にはこのＯＰＣデータが追加されたことをＤＶＤレコーダ１へ通知する。ＤＶＤレコーダ１の制御部１７は、この通知を受信すると、表示部１３に通知された内容を表示させる。ＤＶＤレコーダ１のユーザは、この通知を確認すると、操作部１４を操作してＤＶＤ−ＲのＯＰＣデータの送信要求を行って、以前に配信されなかったＯＰＣデータを取得することができる。
【００３６】
次に、ＤＶＤレコーダ１及びサーバ２におけるＯＰＣデータの更新時の具体的な動作について、フローチャートに基づいて説明する。図２、図３は、ＤＶＤレコーダ及びサーバにおけるＯＰＣデータの更新時の具体的な動作を説明するためのフローチャートである。
【００３７】
図２に示すように、ＤＶＤレコーダ１の制御部１７は、ユーザによってＯＰＣデータの受信操作が行われずに（ｓ１）、記録再生部１１にＤＶＤ−Ｒがセットされると（ｓ２）、ＤＶＤ−Ｒにデータを記録するために、送信ＤＶＤ−Ｒに記録された識別コードを記録再生部１１に読み取らせる（ｓ３）。そして、制御部１７は、記憶部１２を検索して、この識別コードに該当するＤＶＤ−ＲのＯＰＣデータがあるか否かを確認する（ｓ４）。制御部１７は、記憶部１２に該当するＯＰＣデータがある場合、記憶部１２に格納されているＤＶＤ−ＲのＯＰＣデータを読み出して、このＯＰＣデータに基づいて、記録再生部１１にＯＰＣを実行させて、ＤＶＤ−Ｒにデータを記録するための最適なレーザパワーを決定する  （ｓ５）。そして、制御部１７は、ＤＶＤ−Ｒ１０に対して、この最適パワーのレーザ光を記録再生部１１に照射させてデータを記録する（ｓ６）。制御部１７は、データの記録が完了すると、処理を終了する。
【００３８】
一方、制御部１７は、ステップｓ４において、この識別コードに該当するＤＶＤ−ＲのＯＰＣデータが記憶部１２に記憶されていない場合、ＤＶＤレコーダ１の型式、シリアル番号、ＤＶＤレコーダ１のユーザのメールアドレスを記憶部１２から読み出して、これらの情報とこのＤＶＤ−Ｒの識別コードとともにＤＶＤ−ＲのＯＰＣデータの送信要求を、通信部１６からインターネット３を介してサーバ２へ送信する（ｓ７）。
【００３９】
図３に示すように、サーバ２の制御部２６は、ＤＶＤレコーダ１から送られてきた送信要求を通信部２１で受信すると、ＤＶＤレコーダ１に関する情報を記憶部２２に一時的に記憶させる（ｓ２１）。また、制御部２６は、新しい型式のＤＶＤ−Ｒの識別コード、ＤＶＤレコーダ１の型式、及びシリアル番号の情報に基づいて記憶部２２を検索し、該当するＤＶＤ−ＲのＯＰＣデータの有無を確認する（ｓ２２）。制御部２６は、送信要求があったＤＶＤ−ＲのＯＰＣデータが記憶部２２に格納されていた場合、記憶部２２から読み出したこのＯＰＣデータを、通信部２１からＤＶＤレコーダ１へ送信する（ｓ２３）。また、制御部２６は、記憶部２２に記憶させたＤＶＤレコーダ１に関する情報を消去する（ｓ２４）。
【００４０】
ＤＶＤレコーダ１の制御部１７は、サーバ２から送信されたＯＰＣデータを通信部１６で受信すると（ｓ８）、このＯＰＣデータを記憶部１２に記憶させる  （ｓ９）。そして、制御部１７は、ＯＰＣデータの追加処理のみでなければ（ｓ１０）、ステップｓ５以降の処理を行う。
【００４１】
一方、サーバ２の制御部２６は、ステップｓ２２において、送信要求があったＤＶＤ−ＲのＯＰＣデータが記憶部２２に格納されていない場合、ＯＰＣデータが現在作成されていないことを通信部２１からＤＶＤレコーダ１へ送信する（ｓ２５）。
【００４２】
ＤＶＤレコーダ１の制御部１７は、通信部１６でこの通知を受信すると（ｓ８）、このＤＶＤ−Ｒに対してＯＰＣデータの初期値を使用してＯＰＣを行うか、または別のＤＶＤ−Ｒに交換してデータを記録するかを確認するメッセージを表示部１３に表示させる（ｓ１１）。
【００４３】
ＤＶＤレコーダ１のユーザは、この表示を確認すると、操作部１４を操作してどちらを選択するかを入力する。ＤＶＤレコーダ１の制御部１７は、ＯＰＣデータの無いＤＶＤ−Ｒにデータを記録する場合（ｓ１２）、メモリに格納しているＤＶＤ−ＲのＯＰＣデータの初期値（標準記録パワー）を読み出して、記録再生部１１からＤＶＤ−Ｒに対してレーザ光を照射させてＯＰＣを行い、レーザ光の最適記録パワーを決定して、データを記録する（ｓ１３）。そして、処理を終了する。
【００４４】
一方、ＤＶＤレコーダ１の制御部１７は、ステップｓ１１においてＤＶＤ−Ｒが別の型式のものに交換された場合、このＤＶＤ−Ｒに対してステップｓ１以降の処理を行う。
【００４５】
制御部２６は、ステップｓ２５の処理を終えると、記憶部２２に記憶させたＤＶＤレコーダ１に関する情報をＯＰＣデータの未配信データベースに登録するとともに、記憶部２２に記憶させた情報に基づいて送信要求のあったＯＰＣデータが無かったことやＤＶＤ−Ｒの識別情報などの情報を表示部２３に表示させる  （ｓ２６）。
【００４６】
サーバ２のオペレータは、この表示を確認すると、技術者に該当するＤＶＤ−ＲのＯＰＣデータの作成を依頼する。技術者は、このＤＶＤ−Ｒを入手して、記憶部２２でＯＰＣデータを管理しているＤＶＤレコーダ１を含む複数のＤＶＤレコーダ用のＯＰＣデータを作成して、このＯＰＣデータをサーバ２のオペレータに渡す。サーバ２のオペレータは、ＤＶＤ−ＲのＯＰＣデータを技術者から受け取ると、操作部２４を操作して入力部２５からこのＯＰＣデータを入力して、記憶部２２に記憶させる（ｓ２７）。
【００４７】
サーバ２の制御部２６は、ＤＶＤ−ＲのＯＰＣデータが記憶部２２に追加されると、記憶部２２に設けられているＯＰＣデータの未配信データベースを確認して、このデータベースに登録されているＤＶＤレコーダ１のユーザが所有する携帯電話４のメールアドレスに、配信できなかったＤＶＤ−ＲのＯＰＣデータが配信可能になったことを通知するメールを通信部２１から送信させる（ｓ２８）。
【００４８】
ＤＶＤレコーダ１のユーザは、携帯電話４にメールが届くと、このメールを確認すると、配信を受けられなかったＤＶＤ−ＲのＯＰＣデータの配信要求を行う操作を操作部１４で行う。制御部２５は、この操作を検出すると（ｓ１）、配信を受けられなかったＤＶＤ−ＲのＯＰＣデータの送信要求を通信部２１から送信し（ｓ７）、ステップｓ８以降の処理を行う。
【００４９】
サーバ２の制御部２６は、通信部２１でＤＶＤレコーダ１から送信されたＯＰＣデータの送信要求を受信すると（ｓ２１）、記憶部２２を検索して該当するＤＶＤ−ＲのＯＰＣデータを読み出して、通信部２１からＤＶＤレコーダ１へこのＯＰＣデータを送信させる（ｓ２３）。また、制御部２６は、記憶部２２に設けられているＯＰＣデータの未配信データベースから、ＤＶＤレコーダ１に関する情報を削除して（ｓ２４）、処理を終了する。
【００５０】
ＤＶＤレコーダ１の制御部１７は、サーバ２から送信されたＯＰＣデータを通信部１６で受信すると、記憶部１２に記憶させ、ＯＰＣデータの受信処理のみが行われたので（ｓ１０）、処理を終了する。
【００５１】
【発明の効果】
本発明によれば、以下の効果が得られる。
【００５２】
（１）光ディスク記録装置は、光ディスクの基準記録パワーを、インターネットに接続されたデータ管理装置から取得するので、すぐに試し書きを開始して、短時間で試し書きを終了することができる。また、光ディスク記録装置は、光ディスクの基準記録パワーのデータを記憶手段に追加記憶させるだけなので、従来のファームウェアのバージョンアップのように、ユーザが煩雑な作業を行うことなく、容易に基準記録パワーのデータを追加することができる。
【００５３】
（２）データ管理装置に光ディスクの基準記録パワーのデータが用意されていない場合には、光ディスク記録装置は、標準記録パワーのデータに基づいて試し書きを行うので、この光ディスクにも最適記録パワーでデータを記録することができる。
【００５４】
（３）光ディスク記録装置は、ユーザにこの光ディスクを使用するか否かを問い合わせるメッセージを音声や、文字や画像などの表示で出力するので、ユーザは、例えば別の光ディスクにデータを記録しておき、交換前の光ディスクの基準記録パワーが用意されてから、この光ディスクにデータを記録することができる。
【００５５】
（４）光ディスクの基準記録パワーデータを光ディスク記録装置に配信できなかった場合には、配信できなかったことを記憶するので、データ管理装置のオペレータは、配信できなかった光ディスクの基準記録パワーを確認して、新たに作成した光ディスクの基準記録パワーを記憶手段に記憶させることができる。
【図面の簡単な説明】
【図１】本実施の実施形態に係る光ディスク記録装置及びＯＰＣデータ管理装置の概略構成を示したブロック図である。
【図２】ＤＶＤレコーダ及びサーバにおけるＯＰＣデータの更新時の具体的な動作を説明するためのフローチャートである。
【図３】ＤＶＤレコーダ及びサーバにおけるＯＰＣデータの更新時の具体的な動作を説明するためのフローチャートである。
【符号の説明】
１−ＤＶＤレコーダ、２−サーバ２、３−インターネット、４−携帯電話、
１０−ＤＶＤ−Ｒ、１１−記録再生部、１２−記憶部、１３−表示部、１４−操作部、１５−音声出力部、１６−通信部、１７−制御部、
２１−通信部、２２−記憶部、２３−表示部、２４−操作部、２５−入力部、２６−制御部
【図１】
2004318972.tif 000003
【図２】
2004318972.tif 000004
【図３】
2004318972.tif 000005